【手続補正書】
【提出日】平成22年1月15日(2010.1.15)
【手続補正１】
【補正対象書類名】特許請求の範囲
【補正対象項目名】全文
【補正方法】変更
【補正の内容】
【特許請求の範囲】
【請求項１】
コンベアスピードで連続的な態様で次々にコンベア方向に運ばれる平坦な物体、または連続的に運ばれる擬似エンドレス材料ウェブを処理するための装置であって、前記装置は、
周回経路の上で周回する態様で駆動される少なくとも１つのツールと、
周回経路上で当該少なくとも１つのツールを移動させるためのドライブユニットと、
ドライブユニットを制御するための制御ユニットとを含み、
周回経路は、物体または材料ウェブのコンベア方向と本質的に平行に整列する処理領域を含み、
物体または材料ウェブは処理領域を通って動かされる当該少なくとも１つのツールにより処理され得、当該少なくとも１つのツールは、コンベアスピードに適合される処理スピードでドライブユニットによって処理領域を通って動かされ得、
当該少なくとも１つのツールは、周回経路の向きとは独立して、制御された態様、その旋回位置が処理されることになる物体または材料ウェブに制御された態様で適合可能であるような態様で、周回経路に対して旋回可能である、装置。
【請求項２】
ドライブユニットは、ツールのグループまたは個々のツールを周回経路上で、他のグループのツールまたは他の個々のツールと独立して、異なるツールが同時に異なるスピードで周回経路上を動かされ得るような態様で、動かすよう設計される、請求項１に記載の装置。
【請求項３】
周回経路に対するツールの位置を周回経路に沿ったツールの移動の間に変更するようにされる少なくとも１つの静止カムをさらに含む、請求項１または２に記載の装置。
【請求項４】
カムは、処理されることになる物体または材料ウェブに対してツールによって加えられる力を制限し、特にこの力を本質的に一定に保つ、請求項３に記載の装置。
【請求項５】
周回経路は、少なくとも処理領域においてアーチ形であり、カムは、処理領域におけるこのアーチ形の周回経路にも関わらず、ツールが真直ぐな経路に本質的に沿って動かされるような態様で形状決めされる、請求項３または４に記載の装置。
【請求項６】
処理領域におけるツールは、処理されることになる物体または材料ウェブに対して、本質的に、一定の向きで移動可能である、請求項４に記載の装置。
【請求項７】
回転中心の周りを回転可能である少なくとも１つのキャリア要素をさらに含み、ツールは、第１のレバーと、物体または材料経路と協働する処理要素とを含み、第１のレバーは旋回軸の周りを旋回可能なように当該少なくとも１つのキャリア要素に接続されるとともに旋回軸に対してある距離で処理要素を含み、少なくとも１つの静止カムが与えられ、これにより当該少なくとも１つのキャリア要素に対する第１のレバーの旋回位置が少なくとも処理領域において設定され得る、先行する請求項の１つに記載の装置。
【請求項８】
ツールは、第２の旋回軸の周りを旋回可能なように第１のレバーに接続される第２のレバーを含み、周回経路および処理されることになる物体または材料ウェブに対する処理要素の向きが２つの静止カムにより設定され得る、請求項７に記載の装置。
【請求項９】
回転軸の周りを回転可能なホイールまたはスポークの形態で少なくとも１つのキャリア要素をさらに含む、請求項７または８に記載の装置。
【請求項１０】
ツールは、溶着要素と、溶着要素の直接的な空間的近傍においてこれに対して弾性的な態様で配される押下ユニットとを含む、請求項７から９のいずれかに記載の装置。
【請求項１１】
当該少なくとも１つのツールと協働することができる少なくとも１つの相手側ツールをさらに含み、相手側ツールは周回経路上で周回するように駆動され、それは、旋回経路の向きと独立して、制御された態様、その旋回位置が処理されることになる物体または材料ウェブに制御された態様で適合されるような態様で、旋回経路に対して旋回可能である、先行する請求項の１つに記載の装置。
【請求項１２】
少なくとも１つのツールと協働することができる少なくとも１つの相手側ツールをさらに含み、相手側ツールは周回コンベアベルトの形態にあるコンベア台によって形成される、請求項１から１０のいずれかに記載の装置。
【請求項１３】
コンベアスピードで連続的な態様で次々に運ばれる平坦な物体、または連続的に運ばれる擬似エンドレス材料ウェブを処理するための装置であって、前記装置は、
周回経路の上で周回する態様で駆動されるツールと、
周回経路上でツールを移動させるためのドライブユニットと、
ドライブユニットを制御するための制御ユニットとを含み、
周回経路は、物体または材料ウェブのコンベア方向と本質的に平行に整列する処理領域を含み、
物体または材料ウェブは処理領域を通って動かされるツールにより処理され得、
ツールは、コンベアスピードに適合される処理スピードでドライブユニットによって処理領域を通って動かされ得、
ドライブユニットは、ツールのグループまたは個々のツールを周回経路上で、他のグループのツールまたは他の個々のツールと独立して、異なるツールが同時に異なるスピードで周回経路上を動かされ得るような態様で、動かすよう設計される、特に先行する請求項の１つに記載の装置。
【請求項１４】
ドライブユニットまたは制御ユニットは、処理されることになる物体もしくは材料ウェブの運搬に適合された本質的に規則的なサイクル、またはセンサ制御された態様で動作され得る、先行する請求項の１つに記載の装置。
【請求項１５】
ドライブユニットは少なくとも２つのドライブを含み、各々の場合、同じ数のツールが
各ドライブに強固に結合され、ドライブの各々は、処理スピードでのツールの移動が、処理スピードとは異なる戻りスピードでのツールの移動および／またはツールの停止と交互に起こる周期的な動作で制御され得、当該少なくとも２つのドライブの周期的な動作は段階シフトによって異なる、先行する請求項の１つに記載の装置。
【請求項１６】
戻りスピードは設定され得る、請求項１５に記載の装置。
【請求項１７】
当該少なくとも２つのドライブは互いに別個であるチェーンドライブまたはベルトドライブである、請求項１５または１６に記載の装置。
【請求項１８】
４つのツールと２つのドライブとが設けられ、ツールは交互の態様で一方または他方のドライブに結合される、請求項１７に記載の装置。
【請求項１９】
ドライブユニットは、ツールの結合および分離のために設計される少なくとも１つのドライブを含み、制御ユニットは個々にツールをドライブから分離またはそれらをドライブに結合するよう設計される、先行する請求項の１つに記載の装置。
【請求項２０】
ツールが、結合された状態で処理スピードにて完全な周回経路に沿って駆動され得る単一のドライブが設けられる、請求項１９に記載の装置。
【請求項２１】
２つのドライブが設けられ、ツールは、第１のドライブにより、少なくとも処理領域を通る間は処理スピードで移動可能であり、第２のドライブにより、処理スピードとは異なる戻りスピードで周回経路の残りの部分に沿って移動可能である、請求項２０に記載の装置。
【請求項２２】
制御ユニットは、処理領域の前で直接的にツールに対して作用する停止部を含み、ドライブは停止部によって停止されるツールがドライブに対して引張ることを行なうような態様で設計され、停止部はツールのバッファリングと、個々のツールの処理領域への解放とのために制御され得る、請求項１９から２１のいずれかに記載の装置。
【請求項２３】
ツールは、制御される態様で周回経路に対して旋回可能である、先行する請求項の１つに記載の装置。
【請求項２４】
旋回経路は、処理領域においてコンベア方向と平行に延在し、処理領域の側面に位置し、追い込み領域および追い出し領域を含み、当該追い込みおよび追い出し領域においては、旋回経路は処理されることになる物体または材料ウェブへと延在するか、またはそこから離れるように延在し、処理領域におけるツールは、追い込み領域および追い出し領域において、物体または材料ウェブに対して垂直に方向付けされる、請求項２３に記載の装置。
【請求項２５】
追い込み領域および追い出し領域におけるツールのスピードは、周回経路とコンベア方向との間の角度に適合される、請求項２４に記載の装置。
【請求項２６】
次々に材料ウェブの中に挿入され、互いに距離をおいている平坦な物体の間の擬似エンドレス材料ウェブの横方向の溶着のためである、先行する請求項の１つに記載の装置の利用。
【請求項２７】
コンベア表面が、装置のツールのための相手側ツールとして設けられる、請求項２６に記載の利用。
【請求項２８】
請求項１から請求項２５の１つに記載のさらなる装置が、装置と協働するよう配され、当該さらなる装置のツールは装置のツールのための相手側ツールとして設計されるとともにこれらと同期して駆動される、請求項２７に記載の利用。